(57)【要約】【課題】糖尿病判定や高血圧の治療などに用いるデータは、二次元座標のＸ軸（横軸）を時間軸に取ったものが主であるため、グラフ表示されたデータを見るだけでは、判断するのが困難であった。【解決手段】プロットするデータの配色を変えていき、時系列を色によって表現することで、二次元座標の２軸がどちらも時間軸でないグラフに、時間の概念を導入することが可能となり、時間による変化を視覚的又は直感的に判断できるデータ表示ができる。【選択図】図１
2009219829.tif 000002
【特許請求の範囲】
【請求項１】
バイタルデータを計測するバイタルデータ計測手段により計測されたバイタルデータを、表示画面上に設定された二次元座標上の点に対応させてプロットし、時系列ごとに識別可能に配色及び表示するバイタルデータ表示手段と、
前記バイタルデータ表示手段によるバイタルデータの表示に対応した複数の領域を前記表示画面上に表示する領域表示手段と、
を備え、前記バイタルデータ表示手段は時系列の色の閾値を選択可能に表示できることを特徴とするバイタルデータの表示装置。
【請求項２】
バイタルデータが、生体の血糖値であることを特徴とする請求項１記載のバイタルデータの表示装置。
【請求項３】
バイタルデータが、生体の血圧値であることを特徴とする請求項１記載のバイタルデータの表示装置。
【請求項４】
前記プロットするバイタルデータの配色が、過去の計測値になるに従って色を徐々に薄くして表示することを特徴とする請求項１乃至３のいずれかに記載のバイタルデータの表示装置。
【請求項５】
バイタルデータを計測するバイタルデータ計測手段により計測されたバイタルデータを、表示画面上に設定された二次元座標上の点に対応させてプロットし、時系列ごとに識別可能に配色及び表示するステップと、
バイタルデータの表示に対応した複数の領域を前記表示画面上に表示するステップと、を有し、
バイタルデータを時系列ごとに識別可能に配色及び表示するステップは時系列の色の閾値を選択可能に表示できるステップからなることを特徴とするバイタルデータの表示装置の制御方法。
【請求項６】
バイタルデータが、生体の血糖値であることを特徴とする請求項５記載のバイタルデータの表示装置の制御方法。
【請求項７】
バイタルデータが、生体の血圧値であることを特徴とする請求項５記載のバイタルデータの表示装置の制御方法。
【請求項８】
前記プロットするバイタルデータの配色が、過去の計測値になるに従って色を徐々に薄くして表示するステップであることを特徴とする請求項５乃至７のいずれかに記載のバイタルデータの表示装置の制御方法。
【請求項９】
バイタルデータを計測するバイタルデータ計測手段により計測されたバイタルデータを、表示画面上に設定された二次元座標上の点に対応させてプロットし、時系列ごとに識別可能に配色及び表示するステップのプログラムコードと、
バイタルデータの表示に対応した複数の領域を前記表示画面上に表示するステップのプログラムコードを備え、
バイタルデータの表示装置の制御を、コンピュータに実行させるためのプログラムコードが記憶されたコンピュータ読取可能な記憶媒体。
【発明の詳細な説明】
【技術分野】
【０００１】
本発明は、生体について計測された2種類のバイタルデータを表示するバイタルデータの表示装置とその表示方法に関する。
【背景技術】
【０００２】
従来、日常的な健康管理や医療現場では、血糖値や血圧、心拍数などといった被検者又は患者のバイタルデータを計測する装置が用いられている。
【０００３】
そして、日常的な健康管理や医療現場で用いられる装置としては、血糖計や血圧計、心拍数計などが知られており、一般的に、計測した被検者又は患者の血糖値や血圧、心拍数を、リアルタイムで数値表示したり、個々のバイタルデータ毎に、計測値の時間変化をグラフ表示したりするような装置が知られている（特許文献１乃至３参照）。
【特許文献１】特許第３９３１８９５号
【特許文献２】特許第３９４８６７７号
【特許文献３】特許第３９７６２７８号
【発明の開示】
【発明が解決しようとする課題】
【０００４】
しかし、日常的な健康管理や医療現場で用いられる装置では、専門的な知識を持たない一般の者では、表示されたバイタルデータの変化が何を示唆するのかを容易に把握したり、正しく判断したりすることができないという問題があった。例えば、糖尿病判定や高血圧の治療などに用いるデータは、二次元座標のＸ軸（横軸）を時間軸に取ったものが主であるため、糖尿病判定の場合、空腹時血糖値と負荷後２時間血糖値とを、高血圧の治療の場合、最高血圧と最低血圧とを、たとえ同画面上に表示させたとしても、判断するのに煩わしいものであった。
【０００５】
また、特許文献１や２、３に記載の装置のように、バイタルデータの変化をリアルタイムで把握できたとしても、その変化を視覚的又は直感的に判断できるデータ表示としては乏しいものであった。
【０００６】
本発明は、上記問題点を解決するために、バイタルデータの変化を容易に把握でき、その変化を従来よりも視覚的又は直感的に判断することが可能なバイタルデータの表示装置を提供することを目的とする。
【課題を解決するための手段】
【０００７】
本発明のバイタルデータの表示装置では、プロットするデータの配色を変えていき、時系列を色によって表現することで、二次元座標の２軸がどちらも時間軸でないグラフに、時間の概念を導入することが可能となり、時間による変化を視覚的又は直感的に判断できるデータ表示ができることにある。
【０００８】
上記の課題は以下の（１）から（９）の本発明により解決される。
【０００９】
［バイタルデータの表示装置］
（１）バイタルデータを計測するバイタルデータ計測手段により計測されたバイタルデータを、表示画面上に設定された二次元座標上の点に対応させてプロットし、時系列ごとに識別可能に配色及び表示するバイタルデータ表示手段と、前記バイタルデータ表示手段によるバイタルデータの表示に対応した複数の領域を前記表示画面上に表示する領域表示手段と、を備え、前記バイタルデータ表示手段は時系列の色の閾値を選択可能に表示できることを特徴とするバイタルデータの表示装置。
【００１０】
このように、プロットするデータの配色を変えていき、時系列を色によって表現することにより、時間によるバイタルデータの変化を視覚的又は直感的に判断できるデータ表示ができるようになる。
【００１１】
（２）バイタルデータが、生体の血糖値であることを特徴とする上記（１）記載のバイタルデータの表示装置。
【００１２】
このように、バイタルデータが生体の血糖値であることにより、糖尿病判定基準として、従来に比べ視覚的又は直感的に判断できるため、より正確な治療が行なえるようになる。
【００１３】
（３）バイタルデータが、生体の血圧値であることを特徴とする上記（１）記載のバイタルデータの表示装置。
【００１４】
このように、バイタルデータが生体の血圧値であることにより、高血圧治療ガイドラインとして、従来に比べ視覚的又は直感的に判断できるため、より正確な治療が行なえるようになる。
【００１５】
（４）前記プロットするバイタルデータの配色が、過去の計測値になるに従って色を徐々に薄くして表示することを特徴とする上記（１）乃至（３）のいずれかに記載のバイタルデータの表示装置。
【００１６】
このように、プロットするバイタルデータの配色が、過去の計測値になるに従って色を徐々に薄くして表示することで、より視覚的又は直感的に最近の動向を判断することが可能なバイタルデータの表示となる。
【００１７】
［バイタルデータの表示装置の制御方法］
（５）バイタルデータを計測するバイタルデータ計測手段により計測されたバイタルデータを、表示画面上に設定された二次元座標上の点に対応させてプロットし、時系列ごとに識別可能に配色及び表示するステップと、バイタルデータの表示に対応した複数の領域を前記表示画面上に表示するステップと、を有し、バイタルデータを時系列ごとに識別可能に配色及び表示するステップは時系列の色の閾値を選択可能に表示できるステップからなることを特徴とするバイタルデータの表示装置の制御方法。
【００１８】
（６）バイタルデータが、生体の血糖値であることを特徴とする上記（５）記載のバイタルデータの表示装置の制御方法。
【００１９】
（７）バイタルデータが、生体の血圧値であることを特徴とする上記（５）記載のバイタルデータの表示装置の制御方法。
【００２０】
（８）前記プロットするバイタルデータの配色が、過去の計測値になるに従って色を徐々に薄くして表示するステップであることを特徴とする上記（５）乃至（７）のいずれかに記載のバイタルデータの表示装置の制御方法。
【００２１】
［プログラム］
（９）バイタルデータを計測するバイタルデータ計測手段により計測されたバイタルデータを、表示画面上に設定された二次元座標上の点に対応させてプロットし、時系列ごとに識別可能に配色及び表示するステップのプログラムコードと、バイタルデータの表示に対応した複数の領域を前記表示画面上に表示するステップのプログラムコードを備え、バイタルデータの表示装置の制御を、コンピュータに実行させるためのプログラムコードが記憶されたコンピュータ読取可能な記憶媒体。
【発明の効果】
【００２２】
以上説明したように、本発明によれば、表示画面上にプロットするバイタルデータ、特に血糖値、血圧値の配色を変えていき、時系列を色によって表現することで、二次元座標軸に時間軸を設けることなく、時間による変化を視覚的又は直感的に判断可能なデータ表示ができるという効果が得られる。
【発明を実施するための最良の形態】
【００２３】
次に、本発明の実施の形態について図面を参照して詳細に説明するが適宜変更でき、実施例に限定されるものではない。
【００２４】
図１は本実施形態の、バイタルデータである血糖値の表示装置の構成を示すブロック図である。
【００２５】
図１に示すように、本実施形態のバイタルデータの表示装置１００は、各種指令やデータを入力するための操作入力部１１０と、設定（Input）機能とグラフ表示（Output）機能とを備えたＧＵＩ（グラフィカルユーザインタフェース）システムである表示部１２０と、表示部１２０の設定機能により、設定された値の入力やエラーのチェックを行なうための設定部１３０と、グラフに血糖測定値を表示するための処理を行なう、メイン処理部１８０とサブ処理部１（１９０）、サブ処理部２（２００）とで構成された演算処理部１７０と、バイタルデータをテーブルごとに保存しておくためのデータベース２１０と、バイタルデータの読み込み、データの追加・更新・削除を行い、また設定部１３０の命令を受けて、データベース２１０内に該当するテーブルへアクセスするための手続きを行い、テーブルへのInput処理を行うデータベースアクセス部１（１４０）と、演算処理部１７０の命令を受け、該当するテーブルへアクセスするための手続きを行い、テーブルからのOutput処理を行うデータベースアクセス部２（１６０）と、を備えている。
【００２６】
本発明であるバイタルデータの表示装置１００は、大きく分けると、設定とグラフ表示の２つのプログラムによって実現される。設定は、図２に示すように表示部１２０の設定機能の処理、設定部１３０の処理、データアクセス部１（１４０）の処理の順で行なわれ、グラフ表示は、図３に示すように表示部１２０のグラフ表示機能にある設定オプションの処理、演算処理部１７０（メイン処理部１８０）の処理、データアクセス部２（１６０）の処理、演算処理部１７０（サブ処理部１（１９０）、サブ処理部２（２００））の処理、表示部１３０のグラフ表示機能の処理の順で行なわれる。尚、演算処理部１７０は、マイクロコンピュータなどのCPU、このCPUにより実行される装置全体の制御プログラムや各種データを記録するROM、ワークエリアとして各種データを一時的に記録するRAMなどを備えている。
【００２７】
以下に、表示装置１００内の各部について、説明していく。
【００２８】
表示部１２０の設定（Input）機能は、図４に示すように、グラフに表示する血糖測定値の表示期間（例えば、過去４ヶ月など）と表示期間の範囲に応じた配色を設定できる機能であり、配色の設定はカラーの液晶又は有機ＥＬなどで、RGBカラーモデルにより、赤、緑、青の各色２５６段階で表示選択され、微調節が可能である。本実施形態では、バイタルデータの配色が、過去の計測値になるに従って色を徐々に薄くして表示しているが、これは、より視覚的又は直感的に最近の動向を判断することが可能なバイタルデータの表示をするためであり、過去の計測値になるに従って色を徐々に濃くして表示しても、或いは表示する設定期間ごとに異なる配色をしても構わない。
【００２９】
さらに、表示部１２０の設定（Input）機能は、図５に示すように、空腹時血糖値と負荷後２時間血糖値の関連付けを行う機能を備えている。前提条件として、ユーザーが操作入力部１１０を介して、空腹時血糖値と負荷後２時間血糖値の関連付けを画面上から行い、もし、上記の関連付けが行われていないデータの場合、グラフにプロットされないようになっている。
【００３０】
また、表示部１２０のグラフ表示（Output）機能は、グラフに血糖測定値を表示する他に、設定オプションとして、グラフに表示する血糖測定値の表示期間を設定したり、２次元座標のＸ軸（横軸）とＹ軸（縦軸）を任意に設定したりできる。
【００３１】
なお、グラフに血糖測定値を表示するときの、領域表示手段については後述する。
【００３２】
設定部１３０は、表示部１２０の設定（Input）機能により設定された値の入力チェックやエラーチェックを行ない、入力値が正しければ、データベースの該当するテーブルへのInput処理の命令を、データベースアクセス部１（１４０）に送る機能を備えている。
【００３３】
データベースアクセス部１（１４０）は、本発明の装置の外部である計測装置１５０からバイタルデータを読み込み、データの追加・更新・削除を行い、さらに、設定部１３０からInput処理の命令を受けて、設定された条件に該当するデータベース２１０内のテーブルへアクセスするための手続きを行い、テーブルへのInput処理を行う機能を備えている。
【００３４】
ここで、計測装置１５０について説明する。
【００３５】
計測装置１５０は、例えば、被検者の指を穿刺して微量の血液（体液）を採取し、血糖値（グルコース濃度）を測定するための計測装置であり、センサ部５１０と、センサ部５１０により検出した電気信号を増幅する増幅部５２０と、電磁雑音検出部５３０と、増幅されたアナログ信号をデジタル信号に変換し血液中の血糖値を演算する演算部５４０と、制御部５５０と、制御部５５０からの信号に基づいて体液検査結果、或いはオペレータへのメッセージなどを表示する表示部５６０と、食事内容、インスリン注入情報などのメモ内容を入力する入力部５７０と、電源をＯＮ/ＯＦＦする電源スイッチ５８０と、血糖値（グルコース濃度）測定結果を記憶する記憶部５９０と、乾電池などが通常用いられる電源部６００と、測定、記録された血糖値を呼び出すための記憶呼出スイッチ６１０と、記憶部５９０で記憶されたデータを、外部出力する外部出力部５００とを備えている。
【００３６】
制御部５５０は、マイクロコンピュータなどのCPU、このCPUにより実行される装置全体の制御プログラムや各種データを記録するROM、ワークエリアとして各種データを一時的に記録するRAMなどを備えている。
【００３７】
電磁雑音検出部５３０は、前述したように、本実施の計測装置１５０は、例えば被検者の指から採取した血液を試験紙内の試薬層と反応させ、その反応に基づく試薬層の呈色の度合を基に、その血液中に含まれる血糖濃度を発光素子からの光を試験紙に照射し、その反射光強度を受光素子により検出することにより、その呈色の度合を検出している。
【００３８】
外部出力部５００は、記憶部５９０に記憶された血糖値測定結果をパーソナルコンピュータ（ＰＣ）のような外部装置またはインターネットなどの情報通信ネットワークを介して血糖値などを一元管理する病院又は健康管理支援などのサーバへ出力するためのものであり、本発明では、外部出力部５００から表示装置１００へとバイタルデータを取り込む。
【００３９】
この場合、外部出力部５００は、例えばＲＳ２３２Ｃのような通信回路を内蔵している。また赤外線通信を行う場合には、外部出力部５００は、赤外線発光素子及びその駆動回路を備えている。
【００４０】
次に、計測装置１５０からのデータ取り込み時の基本ルールを説明する。
【００４１】
はじめに、データ取り込み時に図５に示す空腹時血糖値、或いは負荷後２時間血糖値の何れかに取り込んでもよいか、確認ダイアログ（図示せず）が表示部１２０画面上に出てくる。ＯＫの場合は、自動的に取り込み、Ｎｏの場合は、ユーザーがどちらの血糖値として取り込むのかを設定する。自動的に取り込む場合、最初のデータは空腹時血糖値側に取り込まれ、もし、空腹時血糖値と対応するデータが負荷後２時間血糖値になければ、負荷後２時間血糖値側に取り込まれる。万が一、誤ってどちらかの血糖値に取り込んでしまっても、画面上から属性を変更できるようになっており、例えば、誤って空腹時血糖値として取り込んでも、負荷後２時間血糖値に属性変更できる。
【００４２】
次にデータベースアクセス部２（１６０）について説明する。データベースアクセス部２（１６０）は、演算処理部１７０からOutput処理の命令を受け、グラフ表示機能の表示期間の条件に該当するテーブルへアクセスするための手続きを行い、テーブルからのOutput処理を行う機能を備えている。
【００４３】
次に、演算処理部１７０について説明をする。演算処理部１７０における処理の内容を図６に示す。
【００４４】
操作入力部１１０で表示期間の条件を入力すると、演算処理部１７０を構成するメイン処理部１８０は、表示部１２０のグラフ表示機能に入力された表示期間の条件で、データベースアクセス部２（１６０）へ命令を出し（ステップＳ１００）、必要な血糖値データをデータベース２１０が持つ血糖値テーブルから抽出し（ステップＳ１１０）、抽出したデータを血糖値メモリ（図７）に格納する（ステップＳ１２０）。そして、血糖値メモリに入っているデータの中から、血糖値メモリのＩＤが同一のものを抽出し、サブ処理部１（１９０）及びサブ処理部２（２００）の呼び出しをデータ数分ループし（ステップＳ１３０）、データ数分サブ処理部１（１９０）とサブ処理部２（２００）の実行が完了したら、ループを終える（ステップＳ１６０）。また、サブ処理部１（１９０）は、グラフ表示機能の表示期間を条件に、設定機能にて設定した表示期間の範囲に応じた配色を血糖値メモリにセットする（ステップＳ１４０）。このとき、血糖値メモリの色の欄に色が入る。サブ処理部２（２００）は、グラフ表示機能の表示期間を条件に、グラフに血糖値メモリをプロットする（ステップＳ１５０）。
【００４５】
次に、データベース２１０について説明する。データベース２１０は、データベースアクセス部１（１４０）からのデータを、該当するテーブルごとに保存しており、テーブルは、空腹時血糖値テーブル１（図８）、負荷後２時間血糖値テーブル２（図９）、プロットデータの色付け設定定義テーブル（図１０）、グループＩＤ定義テーブル（図１１）の４つのテーブルが存在し、テーブルの項目はそれぞれ、[a.年月日、b.時分秒、c.血糖値、d.空腹時・負荷後関連付けシーケンシャルID]、[a.年月日、b.時分秒、c.血糖値、d.空腹時・負荷後関連付けシーケンシャルID]、[a. ID、b.グループID、c.色、d.表示期間]、[a.グループID、b.グループ名]である。
【００４６】
本実施形態における、バイタルデータのグラフ表示画面を図１２に示す。図１２に示すように、ラジオボタンによって、二者択一でグラフ表示を選ぶことができる。一つは、設定した表示期間でグラフを表示し、もう一つは、表示の追加機能としてイベントの影響度把握ができ、ある時点を指定することで、その時点以前と以降に分けてプロットデータを表示することができるのである。例えば、２００８年１月３日より食事改善をした場合、その日を境に、バイタルデータにどのような変化が表れているのかが、容易にわかるのである。
【００４７】
ここで、領域表示手段について説明する。バイタルデータをグラフ表示するときに、例えば、図１２に示す正常型、境界型、糖尿病型の３つの領域に分けてあるように、バイタルデータに対応した領域を設定し、領域表示する必要がある。表示方法は、はじめに表示領域を二次元座標のＸ軸（横軸）とＹ軸（縦軸）に区分し、それぞれの長さを、例えば、Ｘ軸＝１０００、Ｙ軸＝５００とプログラム上に定義することで、１０００×５００の表示領域が完成する。次に、Ｘ軸１０００＝負荷後２時間血糖値２５０、Ｙ軸５００＝空腹時血糖値２００と定義しておけば、プロットデータが、負荷後２時間血糖値２００、空腹時血糖値１３０なら、Ｘ軸＝２００／２５０＊１０００、Ｙ軸＝１３０／２００＊５００でプロット表示される。このなかに、閾値を定義することで（例えば、負荷後２時間血糖値＜１４０かつ空腹時血糖値＜１１０＝正常型、負荷後２時間血糖値＞２００かつ空腹時血糖値＞１２６＝糖尿病型）、領域表示することができる。グラフ上の単位は、表示するデータに対応したものならば何でもよく、又領域ごとに色分けされていてもよい。この領域表示手段の表示の方法や、領域の形状は、目的を達成するものならば、本説明に限定されるものではない。
【００４８】
上記実施形態では、バイタルデータとして空腹時血糖値と負荷後2時間血糖値を採用し、計測装置１５０として血糖測定器を採用しているが、図１３に示すグラフ表示画面のように、バイタルデータを収縮期血圧（最高血圧）と拡張期血圧（最低血圧）を採用し、計測装置として血圧計を採用する（本発明の別の実施形態）、などと２種のバイタルデータであれば、表示されるデータは何であっても構わない。しかし、採用したバイタルデータは、データに対応（単位や指標となる値など）したグラフ領域で表示する必要があり、対応させなければ、本発明の効果は発現されない。
【００４９】
なお、計測装置１５０が血圧計の場合、カフ、カフ加減圧手段、血圧値の演算手段、装置全体を制御する制御部、演算処理部と表示部を有している（図示せず）。また、領域表示は、血圧をＷＨＯ（世界保健機関）/ＩＳＨ（国際高血圧学会）、米国高血圧合同委員会による分類に基づいた領域でグラフ表示されている。
【００５０】
本実施形態では、表示装置と計測装置を別体のものとして説明したが、このような表示装置を計測装置に備えてもよい。
【図面の簡単な説明】
【００５１】
【図１】バイタルデータの表示装置の構成を示すブロック図である。
【図２】バイタルデータの表示装置１００の設定プログラムの一連の流れである。
【図３】バイタルデータの表示装置１００のグラフ表示プログラムの一連の流れである。
【図４】表示部１２０の表示期間と表示期間の範囲に応じた配色の設定画面の表示である。
【図５】空腹時血糖値と負荷後２時間血糖値の関連付けを行なう設定画面の表示である。
【図６】演算処理部１７０における処理の内容を示すフローチャートである。
【図７】血糖値メモリの画面表示である。
【図８】空腹時血糖値テーブルの画面表示である。
【図９】負荷後２時間血糖値テーブルの画面表示である。
【図１０】プロットデータの色付け設定定義テーブルの画面表示である。
【図１１】グループＩＤ定義テーブルの画面表示である。
【図１２】本実施形態におけるバイタルデータのグラフ表示画面である。
【図１３】本発明の別の実施形態におけるバイタルデータのグラフ表示画面である。
【符号の説明】
【００５２】
１００                  表示装置
１１０                  操作入力部
１２０、５６０          表示部
１３０                  設定部
１４０                  データベースアクセス部１
１５０                  計測装置
１６０                  データベースアクセス部２
１７０                  演算処理部
１８０                  メイン処理部
１９０                  サブ処理部１
２００                  サブ処理部２
２１０                  データベース
５００                  外部出力部
５１０                  センサ部
５２０                  増幅部
５３０                  電磁雑音検出部
５４０                  演算部
５５０                  制御部
５７０                  入力部
５８０                  電源スイッチ
５９０                  記憶部
６００                  電源部
６１０                  記憶呼出スイッチ
【図１】
2009219829.tif 000003
【図２】
2009219829.tif 000004
【図３】
2009219829.tif 000005
【図４】
2009219829.tif 000006
【図５】
2009219829.tif 000007
【図６】
2009219829.tif 000008
【図７】
2009219829.tif 000009
【図８】
2009219829.tif 000010
【図９】
2009219829.tif 000011
【図１０】
2009219829.tif 000012
【図１１】
2009219829.tif 000013
【図１２】
2009219829.tif 000014
【図１３】
2009219829.tif 000015